(57)【要約】【課題】本発明は、操作パネルの省スペース化を図るために、特に、操作パネルに配置するスイッチ数を少なくすることを課題とする。【解決手段】遠心機２０の制御装置１０に設けられたスイッチ機能切換部１００により、停止スイッチ７は、ロータ３の回転中にはロータ停止スイッチとして機能し、ロータ３の停止中にはドア５のドアスイッチとして機能する共有スイッチを構成する。【選択図】図１
2007136401.tif 000002
【特許請求の範囲】
【請求項１】
筐体と、前記筐体内に装着されたモータと、前記筐体内に装着され、前記筐体の上部において開口部を有する仕切り部材によって区画されたロータ室と、前記ロータ室内に収容され、前記モータによって回転されるロータと、前記ロータ室の前記開口部を閉塞し、かつ開閉自在に設けられたドアと、前記ドアの閉塞動作をロックするためのドアロック機構と、前記ロータの回転を停止させる機能を持つスイッチとを具備する遠心機において、
前記スイッチは前記ドアロック機構をロックまたは解除させる機能を有することを特徴とする遠心機。
【請求項２】
前記スイッチは、前記ロータが回転中は前記ロータの回転を停止させ、かつ前記ロータが停止中は前記ドアロック機構をロックまたは解除させる機能を有することを特徴とする請求項１に記載された遠心機。
【請求項３】
筐体と、前記筐体内に装着されたモータと、前記筐体内に装着され、前記筐体の上部において開口部を有する仕切り部材によって区画されたロータ室と、前記ロータ室内に収容され、前記モータによって回転されるロータと、前記ロータ室の前記開口部を閉塞し、かつ開閉自在に設けられたドアと、前記ドアの閉塞動作をロックするためのドアロック機構と、前記ロータの回転を停止させる機能を持つスイッチと、前記スイッチの信号に基づいて前記ドアロック機構の動作および前記モータの運転を制御する制御装置とを有する遠心機において、
前記制御装置は、前記ロータの回転状態または停止状態を検出する回転状態検出部と、前記ドアロック機構のロック状態またはロック解除状態を検出するドアロック状態検出部とを有し、さらに
前記制御装置は、前記回転状態検出部が前記ロータの回転状態を検出した場合、前記スイッチを前記ロータの停止スイッチとして機能させ、前記回転状態検出部が前記ロータの停止状態を検出した場合で前記ドアロック状態検出部が前記ドアロック機構のロック状態を検出したとき、前記スイッチをドアロック解除スイッチとして機能させ、前記回転状態検出部が前記ロータの停止状態を検出した場合で前記ドアロック状態検出部が前記ドアロック機構のロック解除状態を検出したとき、前記スイッチをドアロックスイッチとして機能させるスイッチ機能判別部を有することを特徴とする遠心機。
【請求項４】
前記スイッチ機能判別部は表示部に電気的接続され、前記スイッチ機能判別部によって判別された前記スイッチの機能を前記表示部に表示することを特徴とする請求項３に記載された遠心機。
【請求項５】
前記制御装置は、前記スイッチ機能判別部の情報に基づいて前記スイッチの機能を切換える切換部を有することを特徴とする請求項３または請求項４に記載された遠心機。
【発明の詳細な説明】
【技術分野】
【０００１】
本発明は、遠心機のロータ室の開口部を開閉するドアのドアロックまたはドアロック解除を指示するスイッチと、ロータ室に収容されるロータの運転停止を指示するスイッチとを兼用させるスイッチ構造を有する遠心機に関する。
【背景技術】
【０００２】
遠心機は、分離すべき試料を保持するロータをロータ室の中に収容し、ドアによってロータ室の開口部を密閉した状態で、モータ等の駆動装置を用いてロータを高速回転させることによって、ロータに保持された試料の分離、精製等を行うものである。
【０００３】
図７は従来の遠心機の構成図を示す。このような構成の遠心機は、例えば本願出願人より製品名「小型卓上遠心機ＣＴ４ｉ」として販売され、周知である。図７において、従来の遠心機３０は液体試料を保持するロータ３と、ロータ３を収容するロータ室２と、仕切り部材２ａによって包囲されたロータ室２の開口部２ｂを閉塞する開閉自在なドア５と、ドア５の閉塞動作をロックするためのドアロック機構４と、ロータ３を回転させるモータ６と、ロータ３の回転開始を指示するためのスタートスイッチ８と、ロータ３の回転停止を指示するための停止スイッチ７と、ドアロック機構４のロックまたは解除を指示するためのドアスイッチ９と、スタートスイッチ８、停止スイッチ７およびドアスイッチ９を配置した操作パネル１１と、モータ６（ロータ３）の回転数を検出する回転数検出器１２と、ロータ３の回転を制御し、かつドアロック機構４を制御するための制御装置１０とを具備する。制御装置１０は、停止スイッチ７の出力信号に基づいてモータ６を制御してロータ３を回転停止させ、またドアスイッチ９の出力信号に基づいてドアロック機構４のロックまたは解除を制御する構成となっている。操作パネル１１は、スタートスイッチ８、停止スイッチ７およびドアスイッチ９以外に、ロータ３の回転数や運転時間等の運転条件を設定するための運転条件設定スイッチ１４と、運転条件等を表示するための表示部１３とを有する。
【発明の開示】
【発明が解決しようとする課題】
【０００４】
しかし、操作パネル１１は、スタートスイッチ８、停止スイッチ７、ドアスイッチ９、運転条件設定スイッチ１４等の機能に応じた各種のスイッチを具備し、かつ液晶ディスプレイ等の表示部も具備するので、操作パネル１１上に実装される部品点数が多く、実装場所を確保しなければならないという問題があり、操作パネル１１の省スペース化と原価低減とが困難であった。
【０００５】
従って、本発明の目的は、操作パネルに実装されるスイッチ数を省略してスイッチによる占有実装スペースを低減させた操作パネルを具備する遠心機を提供することにある。
【課題を解決するための手段】
【０００６】
遠心機は、一般に、ロータ回転中にロータに触れると危険なため、ロータ回転中はドアの閉塞動作をロックし、ドアの開放はロータ停止中に行うように構成されている。このため、ドアロック機構のロックまたは解除を指示するドアスイッチはロータ停止中に使用され、ロータの回転停止を指示するためのロータ停止スイッチはロータ回転中に使用される。すなわち、ドアスイッチが押されるときはロータ停止中であり、一方、ロータ停止スイッチが押されるときはロータの回転中である。
【０００７】
本願発明者は、ドアスイッチおよびロータ停止スイッチは、ロータの停止中または回転中のどちらか一方の期間に使用されることに着目し、ドアスイッチおよびロータ停止スイッチのそれぞれの機能を一つのスイッチ（共有スイッチ）で機能させることを検討し、操作パネル上の部品点数を省略させた。本願において開示される発明のうち、代表的なものの特徴を説明すれば、次のとおりである。
【０００８】
本発明の一つの特徴によれば、筐体と、前記筐体内に装着されたモータと、前記筐体内に装着され、前記筐体の上部において開口部を有する仕切り部材によって区画されたロータ室と、前記ロータ室内に収容され、前記モータによって回転されるロータと、前記ロータ室の前記開口部を閉塞し、かつ開閉自在に設けられたドアと、前記ドアの閉塞動作をロックするためのドアロック機構と、前記ロータの回転を停止させる機能を持つスイッチとを具備する遠心機において、前記スイッチは前記ドアロック機構をロックまたは解除させる機能を有する。
【０００９】
本発明の他の特徴によれば、前記スイッチは、前記ロータが回転中は前記ロータの回転を停止させ、かつ前記ロータが停止中は前記ドアロック機構をロックまたは解除させる機能を有する。
【００１０】
本発明のさらに他の特徴によれば、筐体と、前記筐体内に装着されたモータと、前記筐体内に装着され、前記筐体の上部において開口部を有する仕切り部材によって区画されたロータ室と、前記ロータ室内に収容され、前記モータによって回転されるロータと、前記ロータ室の前記開口部を閉塞し、かつ開閉自在に設けられたドアと、前記ドアの閉塞動作をロックするためのドアロック機構と、前記ロータの回転を停止させる機能を持つスイッチと、前記スイッチの信号に基づいて前記ドアロック機構の動作および前記モータの運転を制御する制御装置とを有する遠心機において、前記制御装置は、前記ロータの回転状態または停止状態を検出する回転状態検出部と、前記ドアロック機構のロック状態またはロック解除状態を検出するドアロック状態検出部とを有し、さらに前記制御装置は、前記回転状態検出部が前記ロータの回転状態を検出した場合、前記スイッチを前記ロータの停止スイッチとして機能させ、前記回転状態検出部が前記ロータの停止状態を検出した場合で前記ドアロック状態検出部が前記ドアロック機構のロック状態を検出したとき、前記スイッチをドアロック解除スイッチとして機能させ、前記回転状態検出部が前記ロータの停止状態を検出した場合で前記ドアロック状態検出部が前記ドアロック機構のロック解除状態を検出したとき、前記スイッチをドアロックスイッチとして機能させるスイッチ機能判別部を有する。
【００１１】
本発明のさらに他の特徴によれば、前記スイッチ機能判別部は表示部に電気的接続され、前記スイッチ機能判別部によって判別された前記スイッチの機能を前記表示部に表示する。
【００１２】
本発明のさらに他の特徴によれば、前記制御装置は、前記スイッチ機能判別部の情報に基づいて前記スイッチの機能を切換える切換部を有する。
【発明の効果】
【００１３】
本発明によれば、停止スイッチにより、ロータの回転停止とドアロック機構のロックまたは解除の機能とを共有できるので、操作パネルの部品点数を省略でき、操作パネルの占有面積（スペース）を低減させることができる。
【００１４】
本発明の上記および他の目的、ならびに上記および他の特徴は、以下の本明細書の記述および添付図面よりさらに明らかになるであろう。
【発明を実施するための最良の形態】
【００１５】
以下、本発明の実施の形態を図面に基づいて詳細に説明する。なお、実施形態を説明するための全図において、同一の機能を有する部材には同一の符号を付し、その繰り返しの説明を省略する。また、図７に示した周知の遠心機と同一の機能を有する部材についても同一の符号を付している。
【００１６】
図１は本発明の一実施形態に係る遠心機の全体の構造を示す構成図（正面図）、図２は図１に示した遠心機における操作パネルの変形例を示す拡大図、図３は図１に示した遠心機におけるスイッチ機能切換部の機能ブロック図、図４は図３に示したスイッチ機能切換部の動作特性図、図５は図１に示した遠心機の運転状態を示すタイミングチャート、図６は図３に示したスイッチ機能切換部の判別手順を示すフローチャートである。
【００１７】
［遠心機２０の全体構成］
まず、図１を参照して本発明の実施の形態に係る遠心機２０の全体の構成を説明する。遠心機２０は、上面から見た断面形状が略四角形を有する筐体（フレーム）１を備え、筐体１の内部には、チューブ等の試料容器（分離すべき試料も含む）を保持するためのアルミニウム合金またはチタン合金等から成るロータ３と、ロータ３に回転駆動力を与える回転出力軸６ａを有するモータ６と、ロータ３を収容する仕切り部材２ａによって区画されたロータ室２とを具備し、また、仕切り部材２ａによって包囲されたロータ室２の上部開口部（開閉部）２ｂには、ドア５が筐体１に、図示しない蝶番によって、回動自在に取付けられている。筐体１には後述する制御装置１０によって制御されるドアロック機構４が取付けられ、ロータ３の回転中にはドア５はロータ室２を開放しないようにドアロック機構４によってドア５の閉塞動作をロックする。逆にドアロック機構４は、ロータ３の停止中にはロータ室２を開放できるようにドア５の閉塞動作のロックを解除する機能を持つ。
【００１８】
さらに、筐体１の内部には、モータ６の回転数制御等を行い、かつモータ６の回転状態に従い上記ドアロック機構４の制御を行うための制御装置１０が具備されている。モータ６の回転情報は、回転数検出器１２によって制御装置１０へ入力され、制御装置１０によってモータ６（ロータ３）の回転状態が検出される。この制御装置１０の一部は、後述するように本発明に従ったスイッチ機能切換部１００を構成する。また、筐体１の上面部には、ロータ３の回転数や遠心分離時間等のデータを設定（入力）し、かつ設定値、実測値等を表示するための操作パネル１１を具備する。操作パネル１１は、制御装置１０に電気的接続され、制御装置１０へのデータの入力を行い、また制御装置１０からのデータを受信し、必要に応じて後述する表示部１３ａ、１３ｂに表示する。
【００１９】
仕切り部材２ａは、例えばステンレス鋼材料から成るボウルから構成され、ロータ室２を区画する。ボウル２ａの外周には、図示されていないが、必要に応じて冷却配管（エバポレータ）が配置され、さらに、その外周部には断熱部材（発泡材）を充填した円筒状のケーシングが設置される。これによって、ロータ室２は、外気から密閉されるように構成され、ロータ室２内に収容されるロータ３の回転時の風損による温度上昇が冷却される。
【００２０】
操作パネル１１には、液晶ディスプレイ等から構成される表示部１３ａおよび１３ｂが配置されている。例えば、表示部１３ａはロータ３の回転数を、表示部１３ｂはロータ３の運転時間をそれぞれ表示する。また、表示部１３ａおよび１３ｂの近傍には回転数設定スイッチ１４ａおよび運転時間設定スイッチ１４ｂ等の制御装置１０への設定入力用のスイッチが配置される。
【００２１】
さらに操作パネル１１には、本発明に従って、ロータ３の回転開始を指示するためのスタートスイッチ８と、ロータ３の回転中はロータ３の回転停止を指示し、かつロータ３の停止中はドアロック機構４のロックまたは解除を指示する機能を持つ停止スイッチ７とが配置されている。すなわち、停止スイッチ７は、ロータ３の停止スイッチの他に、ドアスイッチすなわちドアロック機構４のドアロックスイッチまたはロック解除スイッチとして機能する。これによって、図７に示した従来の遠心機３０で必要とされたドアスイッチ９が省略され、停止スイッチ７はロータ停止スイッチとドアスイッチの共有スイッチとして機能する。この共有スイッチ７の機能切換は、制御装置１０のスイッチ機能切換部１００によって制御される。
【００２２】
次に、制御装置１０の中に構成される停止スイッチ７を共有スイッチとして機能させるスイッチ機能切換部１００の機能ブロックについて図３を参照して説明する。
【００２３】
スイッチ機能切換部１００は、ドアロック状態検出部１０１と、回転状態検出部１０２と、停止スイッチ機能判別部１０３と、切換部１０４とから成る。
【００２４】
ドアロック状態検出部１０１は、ドアロック機構４からの入力信号に基づいてドア５がドアロック機構４によってロックされているか否かを検出し、ドアロック状態の場合はハイ信号（Ｈ）を、ドアロック状態でない場合（ドアロック解除状態の場合）はロー信号（Ｌ）を出力する。
【００２５】
回転状態検出部１０２は、回転数検出器１２からの入力信号に基づいてロータ３の回転状態を検出し、ロータ３が回転中で回転数検出器１２からの出力信号を受信する場合はハイ信号（Ｈ）を、ロータ３が停止中の場合（回転数検出器１２からの出力信号が無い場合）はロー信号（Ｌ）を出力する。なお、この回転状態検出部１０２はロータ３が回転中か否かを判断するものであって、ロータ３の回転数を検出するものではない。
【００２６】
停止スイッチ機能判別部１０３は、ドアロック状態検出部１０１および回転状態検出部１０２からの入力信号に基づいて停止スイッチ７が押された際の機能を判別する。また、その機能情報を操作パネル１１に設けられた表示部１３ａ、１３ｂに表示することもできる。
【００２７】
切換部１０４は、停止スイッチ７を停止スイッチ機能判別部１０３によって判別された機能（ロータ回転停止、ドアロック、ドアロック解除）に切換えて、ロータ３（モータ６）の回転、またはドアロック機構４を制御するスイッチとして動作させるものである。例えば、停止スイッチ７がロータ停止スイッチと判別された場合は、停止スイッチ７を押すことによりロータ３の回転を停止することができる。図４は、停止スイッチ機能判別部１０３が、ドアロック状態検出部１０１および回転状態検出部１０２からの入力信号に基づいて判別する停止スイッチ７の機能を示す。
【００２８】
［遠心機２０の動作］
図５は、停止スイッチ７およびスタートスイッチ８を使用して遠心機２０を運転した場合のタイミングチャートを示す。遠心機２０の動作について図５を参照して以下に説明する。
【００２９】
まず、図５の時刻ｔ０においてドア５を開き、遠心分離すべき試料を保持したロータ３をロータ室２のモータ回転出力軸６ａにセットし、ドア５を閉める。この時、停止スイッチ７は、スイッチ機能切換部１００によりドアロックスイッチ（ドアスイッチ）としての機能を持つ。
【００３０】
時刻ｔ１において、図５（ｂ）に示すようにドアロックスイッチとしての機能を持つ停止スイッチ７を押すことにより、制御装置１０は、図５（ｅ）に示すドアロック状態信号を発生し、ドアロック機構４はドア５の閉塞状態をロック（ドアロック）する。その後、停止スイッチ７は、スイッチ機能切換部１００によりドアロック解除スイッチとしての機能を持つように切換えられ、この機能はロータ３が回転開始する時刻ｔ２まで継続する。
【００３１】
時刻ｔ２において、図５（ｃ）に示すようにスタートスイッチ８を押すことにより、制御装置１０は、図５（ｄ）に示す回転状態信号を発生し、ロータ３（モータ６）を回転状態に制御する。この時、ロータ３が回転を開始すると、停止スイッチ７は、スイッチ機能切換部１００によりドアロック解除スイッチからロータ３の回転停止スイッチ（ロータ停止スイッチ）へとその機能が切換えられる。
【００３２】
時刻ｔ３において、ロータ３の回転を停止させる場合、再び停止スイッチ７を押すと、スイッチ機能切換部１００により停止スイッチ７は、時刻ｔ２において、既にロータ３の回転停止スイッチとしての機能へ切換えられているので、制御装置１０よりモータ６に制御信号が送られ、モータ６の回転を停止させることにより、ロータ３の回転を停止させる。
【００３３】
時刻ｔ４においてロータ３の回転が停止すると、停止スイッチ７はスイッチ機能切換部１００により再びドアロック解除スイッチとして機能する。
【００３４】
時刻ｔ５において、スイッチ機能切換部１００により停止スイッチ７はドアロック解除スイッチ（ドアスイッチ）としての機能を持っているので、停止スイッチ７を押すことにより、制御装置１０からドアロック機構４へ制御信号が送られ、ドアロック機構４によるドア５のロックを解除し、ドア５を開けることができる。このドア５の開放により遠心分離された試料またはロータ３を取り出すことができる。
【００３５】
［スイッチ機能切換部１００の動作］
停止スイッチ機能判別部１０３を含むスイッチ機能切換部１００の動作について、図４および図５を参照して詳細に説明する。
【００３６】
停止スイッチ機能判別部１０３は、ドアロック状態検出部１０１および回転状態検出部１０２からの信号に基づいて停止スイッチ７の機能を判別し、その判別信号を切換部１０４に出力する。切換部１０４は停止スイッチ機能判別部１０３の出力信号（判別信号）に基づいて停止スイッチ７を、上述したように、ドアロック機能、回転停止機能およびドアロック解除機能の何れかに切換える。この機能の切換は、図４の特性図に示すように、ドアロック状態検出部１０１および回転状態検出部１０２によって検出された、ドアロック状態信号（図５の（ｅ）参照）および回転状態信号（図５の（ｄ）参照）に基づいて切換えられる。
【００３７】
図４に示す信号（ａ）の状態は、ドアロック状態検出部１０１および回転状態検出部１０２からは共にハイ信号（Ｈ）が出力されており、停止スイッチ機能判別部１０３はドア５がドアロック機構４によりロックされロータ３が回転していると判別し、切換部１０４は停止スイッチ７を、ロータ３の回転を停止するためのロータ停止スイッチとして機能するように切換える（図５のタイミングチャート：区間Ｔ３）。なお、図５に示すタイミングチャートの区間Ｔ４も信号（ａ）の状態であるが、回転停止機能の状態にある停止スイッチ７が既に押された区間なので、停止スイッチ７を再度押しても何の機能も有さず、停止スイッチ７は無機能区間となる。
【００３８】
図４に示す信号（ｂ）の状態は、ドアロック状態検出部１０１からはハイ信号（Ｈ）、回転状態検出部１０２からはロー信号（Ｌ）が出力されており、停止スイッチ機能判別部１０３はドア５がドアロック機構４によりロックされロータ３が回転していないと判別し、これによって切換部１０４は停止スイッチ７を、ドア５のロックを解除するためのドアロック解除スイッチとして機能するよう切換える（図５のタイミングチャート：区間Ｔ２）。
【００３９】
図４に示す信号（ｃ）の状態は、ドアロック状態検出部１０１および回転状態検出部１０２からは共にロー信号（Ｌ）が出力される。停止スイッチ機能判別部１０３は、ドア５がドアロック機構４によりロックされておらずロータ３が回転していないと判別する。この場合、ドアロック状態ではないということはロータ３が回転できない状態なので、ロータ３を回転するためにはドア５をドアロック機構４によりロックする必要があり、切換部１０４は停止スイッチ７をドアロックスイッチとして機能するよう切換える（図５のタイミングチャート：区間Ｔ１）。
【００４０】
以上のようにスイッチ機能切換部１００によって停止スイッチ７は３種類の機能を持つ共有スイッチとして動作する。なお、ドアロック状態検出部１０１からロー信号（Ｌ）、回転状態検出部１０２からハイ信号（Ｈ）が出力される状態は異常状態である。即ち、ロータ３が回転している時はドア５がドアロック機構４によりロック状態に制御されなければならないので、通常はこの状態にはならないので考慮する必要はない。
【００４１】
［停止スイッチ機能判別部１０３の判別フローチャート］
次に、停止スイッチ機能判別部１０３の判別手順のフローチャートについて、図６を参照して説明する。
【００４２】
ステップＳ１において、ロータ３が回転しているか否かを判別する。この判別は、上述のように、回転数検出器１２からの信号を回転状態検出部１０２に入力して行い、回転状態検出部１０２は回転中の場合にハイ信号（Ｈ）を、回転していない場合にロー信号（Ｌ）を出力する。
【００４３】
ステップＳ１でロータ３が回転中と判別した場合、ドアロック機構４はドア５を必然的にロック状態とし、ドアロック状態検出部１０１はハイ信号（Ｈ）を出力する。従って、停止スイッチ機能判別部１０３には、回転状態検出部１０２およびドアロック状態検出部１０１から共にハイ信号（Ｈ）が入力され、図４に示した信号（ａ）、図５に示した区間Ｔ３となるので、停止スイッチ７をロータ停止スイッチとして機能するように切換部１０４を切換える（ステップＳ２）。
【００４４】
一方、ステップＳ１でロータ３が回転していない（停止中）と判別した場合は、ステップＳ３において、ドア５がドアロック機構４によってロックされているか否かを判別する。この判別はドアロック機構４からの信号をドアロック状態検出部１０１に入力することによって行い、ドアロック状態検出部１０１はドア５がロック状態の場合はハイ信号（Ｈ）を、ロック状態でない場合はロー信号（Ｌ）を出力する。
【００４５】
ステップＳ３でドア５がロックされていると判断した場合、停止スイッチ機能判別部１０３にはドアロック状態検出部１０１からハイ信号（Ｈ）、回転状態検出部１０２からロー信号（Ｌ）が入力される。この場合、図４に示した信号（ｂ）、図５に示した区間Ｔ２に相当するので、停止スイッチ機能判別部１０３は、停止スイッチ７をドア５のロックを解除するためのドアロック解除スイッチとして機能するように切換部１０４を切換える（ステップＳ４）。
【００４６】
ステップＳ３でドア５がロックされていないと判断した場合には、ドアロック状態検出部１０１および回転状態検出部１０２からは共にロー信号（Ｌ）が出力されており、図４に示した信号（ｃ）、図５に示した区間Ｔ１に相当するので、停止スイッチ機能判別部１０３は、停止スイッチ７を、ドア５をロックするためのドアロックスイッチとして機能するように切換部１０４を切換える（ステップＳ５）。
【００４７】
［使用者の停止スイッチ機能状態判別法］
使用者が停止スイッチ７の現況の機能を判別するためには、例えば、次のような方法がある。
【００４８】
ロータ３の回転中は、必然的にドアロック状態であり、停止スイッチ７はロータ停止スイッチとしてのみ機能し、ドアスイッチすなわちドアロックスイッチおよびドアロック解除スイッチとしては機能しないので、停止スイッチ７の機能状態を表示する必要はない。なお、ロータ３の回転状態は表示部１３ａに現在回転数が表示され、ロータ停止中は「０」が表示されるため目視により認識することができる。
【００４９】
一方、ロータ３の停止中については、ドアロック状態であればドアロック解除スイッチ、ドアロック解除状態であればドアロックスイッチとして機能するため、目視では停止スイッチ７の機能（ドア５の開閉状態）を認識できない。そこで、ドア５の開閉状態を確認する最も簡単な方法として、実際にドア５を開けてみてロックされているか否かを確認すれば良い。また、他の方法として、回転数表示部１３ａや運転時間表示部１３ｂを利用して停止スイッチ７の機能状態（ドア５の状態）を知らせることもでき、例えば、表示部に表示されている文字（数字）を点滅させてその間隔を変えるようにすれば良い。
【００５０】
以上の本発明の構成によれば、停止スイッチ７でロータ３の回転中はロータ停止スイッチ、ロータ３の停止中はドアスイッチとしての機能を持たせることにより、従来のようにドアスイッチを設けることなく、停止スイッチ７によってロータ３の回転停止とドアロック機構４のロックまたは解除とを行うことで、操作パネル１１の省スペース化を図ることができる。
【００５１】
なお、上述の実施形態では停止スイッチ７を複数の機能を有する共有スイッチとして使用したが、図２に示す操作パネル１１のように、ドアスイッチ９をロータ停止とドアロック機構のロックまたは解除を指示する共有スイッチとして使用してもよい。
【００５２】
以上、本発明者によってなされた発明を実施形態に基づき説明したが、本発明は上記実施形態に限定されるものではなく、その要旨を逸脱しない範囲内で種々の変更が可能である。
【図面の簡単な説明】
【００５３】
【図１】本発明の実施形態に係る遠心機の全体の構成図（正面図）。
【図２】図１に示した遠心機における操作パネルの変形例を示す配置図。
【図３】図１に示した遠心機におけるスイッチ機能切換部の機能ブロック図。
【図４】図３に示した遠心機におけるスイッチ機能切換部の動作特性図。
【図５】図１に示した遠心機の運転状態を示すタイミングチャート。
【図６】図３に示したスイッチ機能切換部の判別手順を示すフローチャート。
【図７】従来技術に係る遠心機の全体の構成図（正面図）。
【符号の説明】
【００５４】
１：筐体（フレーム）      ２：ロータ室      ２ａ：仕切り部材（ボウル）
２ｂ：開口部      ３：ロータ      ４：ドアロック機構      ５：ドア
６：モータ      ６ａ：回転出力軸      ７：停止スイッチ（共有スイッチ）
８：スタートスイッチ      ９：ドアスイッチ（共有スイッチ）
１０：制御装置      １１：操作パネル      １２：回転数検出器
１３ａ：表示部（回転数表示部）      １３ｂ：表示部（運転時間表示部）
１４ａ：回転数設定スイッチ      １４ｂ：運転時間設定スイッチ
２０：遠心機（本発明）      ３０：遠心機（従来）
１００：スイッチ機能切換部      １０１：ドアロック状態検出部
１０２：回転状態検出部      １０３：停止スイッチ機能判別部
１０４：切換部
【図１】
2007136401.tif 000003
【図２】
2007136401.tif 000004
【図３】
2007136401.tif 000005
【図４】
2007136401.tif 000006
【図５】
2007136401.tif 000007
【図６】
2007136401.tif 000008
【図７】
2007136401.tif 000009